(57)【特許請求の範囲】
【請求項１】
ターンバックルの角軸部を拡径方向から受け入れ、操作杆にて回転操作するターンバックル用ラチェットスパナであって、
外周にラチェット歯が突設され、断面略Ｕ字型に開口したソケットと、
前記拡径方向に且つ前記操作杆と対極の方向に開口し、前記ラチェット歯を厚さ方向から挟むようにして前記ソケットを保持するヘッド部と、
前記ヘッド部の開口側を開閉可能となるように一端が前記ヘッド部に軸支された開閉片と、
前記開閉片から締結軸方向へ延び、前記開閉片の閉状態において前記ターンバックルの前記角軸部に対して前記締結軸方向に延設される胴部を支える側方支持部と、
を備え、
前記側方支持部には、前記胴部が嵌合可能に形成され、締結軸方向へ深さが一定となるように凹状曲面が形成された嵌合部を有する
ことを特徴とするターンバックル用ラチェットスパナ。
【発明の詳細な説明】
【技術分野】
【０００１】
本発明は、様々な形状のレンチのうち、ターンバックルの締結用に用いられるスパナに関し、特にラチェット機構を備えたターンバックル用ラチェットスパナに関する。
【背景技術】
【０００２】
メガネレンチやソケットレンチなどについては、締結対象から工具を取り外すことなく連続動作が可能となるように、ラチェット機構を備えたラチェットレンチが広く用いられている。これにより、一回の締結動作ごとに工具を締結対象から取り外すことなく、組み付けたままで連続して作業を行うことができるので、作業効率の向上が図られる。
【０００３】
これに対して、先端が開放したレンチである、いわゆるスパナでは、締結軸に対して垂直方向（拡径方向）へ工具を抜き取ることができる。すなわち、工具の抜き取り及び装着動作は、締結対象を中心とした工具の揺動操作が行われるのと同じ平面内の運動であり、メガネレンチなどのように、工具の抜き取り操作等において締結軸方向への運動を伴う作業に比べて容易である。しかし、回転、離脱及び再装着の繰り返し動作を連続してスムーズに行うには、ある程度の熟練を要する。
【０００４】
そのため、スパナについても、工具を締結対象に組み付けた状態で連続動作が可能となるように、従来から、ラチェットスパナの構成が考えられている。この一例を図６に示す。
【０００５】
図６は、従来のスパナ型ラチェットレンチ１０１のヘッド部１０２を示している。ヘッド部１０２は紙面に垂直な方向に３層構造となっている。この３層構造を構成する中央の層にはラチェット機構が設けられている。このラチェット機構は、ヘッド部１０２と同様に拡径方向の一部が開放されており、拡径方向から締結対象を受け入れることが可能である。ラチェット機構は、ラチェット部１０６とロックピン１１０とから構成されている。ラチェット機構の拡径側の側方には、ラチェット部１０６の外周に形成されたラチェット歯１０８に係合し、規制する回転方向を切り換えるロックピン１１０が設けられている。このような、スパナ型ラチェットレンチ１０１は、特許文献１に開示されている。
【０００６】
また、図７に、図６のスパナ型ラチェットレンチ１０１による締結対象の一例としてターンバックル５０を示す。ターンバックル５０の略中央には、正六角形の断面形状を有する角軸部５１が形成されている。この角軸部５１を、スパナ型ラチェットレンチ１０１のラチェット部１０６に拡径方向の側方から受け入れることにより締結作業が行われる。図７のターンバックル５０では、角軸部５１以外の胴部５２は円筒形状に形成されている。
【先行技術文献】
【特許文献】
【０００７】
【特許文献１】実用新案登録第３１６１５０６号公報
【発明の概要】
【発明が解決しようとする課題】
【０００８】
しかしながら、図６に示したようなスパナ型ラチェットレンチ１０１の構成では、拡径方向に開放されたラチェット機構がヘッド部１０２の開口を塞ぐ位置まで回転すると、開口した先端側ではヘッド部１０２による支えがなく、ラチェット部１０６のみで締結対象を支えることになる。したがって、締結軸を開口側へ傾けるような力が操作杆に働くと、ラチェット部１０６に運動方向とは異なる方向に歪が生じ、摩耗や損壊を生じかねない。
【０００９】
また、ラチェット部１０６の開口位置とヘッド部１０２の開口位置とが一致した状態で締結対象を受入れて締結作業を行う際、締結対象の中心軸がラチェット部１０６の回転軸に対して傾斜していると、ラチェット部１０６内に締結対象が完全に収まらず、開口側で噛み込みが生じ、回転動作に支障を来す。この場合、工具側には開口位置の周辺に無理な応力が生じ、他方、締結対象には噛み込みにより傷が発生する恐れがある。
【００１０】
そこで、本発明では、締結対象の噛み込みを防止し、締結軸に対して工具を安定して保持できるラチェットスパナを提供することを目的とする。
【課題を解決するための手段】
【００１１】
上記目的を達成するために、本発明のターンバックル用ラチェットスパナは、ターンバックルの角軸部を拡径方向から受け入れ、操作杆にて回転操作するターンバックル用ラチェットスパナであって、外周にラチェット歯が突設され、断面略Ｕ字型に開口したソケットと、拡径方向に且つ前記操作杆と対極の方向に開口し、ラチェット歯を厚さ方向から挟むようにしてソケットを保持するヘッド部と、ヘッド部の開口側を開閉可能となるように一端がヘッド部に軸支された開閉片と、開閉片から締結軸方向へ延び、開閉片の閉状態においてターンバックルの角軸部に対して締結軸方向に延設される胴部を支える側方支持部と、を備え、前記側方支持部には、前記胴部が嵌合可能に形成され、締結軸方向へ深さが一定となるように凹状曲面が形成された嵌合部を有することを特徴とする。
【発明の効果】
【００１３】
以上のように、本発明によれば、ヘッド部に軸支された開閉片が閉状態にあるとき、開閉片から締結軸方向に延びるように設けられている側方支持部が、ターンバックルの角軸部に延設される胴部を開口側から支えるので、角軸部がソケット内に安定して保持され、スムーズに作業を行うことができる。
【００１４】
また、本発明によれば、上記効果に加えて、ターンバックルは、角軸部を挟んだ２箇所の胴部の一部が嵌合するようにして、側方支持部の締結軸方向へ延びる凹状曲面により支えられるので、ターンバックル用ラチェットスパナが締結動作状態にあっても、締結軸方向が傾くことなく安定して支持される。
【００１５】
これにより、ソケットの開口から角軸部が飛び出すことなく作業できるので、角軸部がヘッド部とソケットとの間に噛み込まれるのを防止することが可能となる。
【図面の簡単な説明】
【００１６】
【図１】本発明の実施の形態に係るラチェットスパナの全体斜視図である。
【図２】図１のラチェットスパナのヘッド部の一部を破断した斜視図である。
【図３】図１のラチェットスパナのラチェット歯の位置で切断し、ヘッド部周辺を拡大した断面図である。
【図４】図３と異なる位置にソケットが回転した状態を示した断面図である。
【図５】図１のラチェットスパナの使用状態であって、（ａ）はラチェット爪がラチェット歯に係合した状態を示し、（ｂ）はラチェット爪がソケットの開口に位置している状態を示したヘッド部周辺の断面図である。
【図６】従来のスパナ型ラチェットレンチを示した図である。
【図７】従来のターンバックルを示した斜視図である。
【発明を実施するための形態】
【００１７】
以下、本発明の実施の形態に係るターンバックル用ラチェットスパナ（以下、単にラチェットスパナと呼ぶ。）について、図を用いて説明する。なお、本実施の形態においては、締結対象の例として図７のターンバックル５０を挙げ、必要に応じて図７を参照することにする。
【００１８】
図１は、本実施の形態に係るラチェットスパナ１の全体斜視図を示している。ここでは、ラチェットスパナ１の後端側の操作杆２２は長尺の部材であるため中間部分を省略して示されている。
【００１９】
ヘッド部２は、平行に配置された２枚の板状部２ａが一体に形成されると共に、先端側に開口２ｂが形成されている。このヘッド部２の開口２ｂの内側には、ヘッド部２に対して相対回転可能なソケット８を含むラチェット部６が設けられている。このラチェット部６を説明するため、ヘッド部２と操作杆２２の一部を破断させた斜視図を図２に示す。図２では、説明の便宜のため、操作杆２２の後端側は省略されている。
【００２０】
ここから図１と図２とを併せて参照しながら説明する。ラチェット部６は、締結対象であるターンバックル５０（図７を参照。）を受け入れるソケット８と、ソケット８の回転方向を順逆の何れかの方向へ回転規制する切換部１０と、切換部１０を後端側から付勢し、切り換え姿勢を保持する付勢部１２とから構成されている。
【００２１】
図１、２中において、ソケット８の回転中心である締結軸Ａは一点鎖線で示されている。ソケット８の外周には、締結軸Ａ方向の略中央にラチェット歯８ａが突設されている。ソケット８は、このラチェット歯８ａを２枚の板状部２ａの間に挟むようにしてヘッド部２の開口２ｂの内側に配置されている。
【００２２】
また、ヘッド部２の操作杆２２寄りの位置には、表裏に向かって締結軸Ａと平行な方向へ延びる側方支持部１４が設けられている。この側方支持部１４は、締結対象であるターンバックル５０の側方を支える目的で設けられている。この側方支持部１４については後に図３以下を用いて説明する。
【００２３】
上述のように、ヘッド部２の先端側には開口２ｂ（図１を参照）が形成されており、この開口２ｂを開閉するために、開閉片４が設けられている。開閉片４は、揺動可能となるようにヘッド部２の先端側に一端を軸支されている。
【００２４】
図１では、開閉片４が開かれた状態が実線で示され、閉じられた状態が点線で示されている。この開閉片４にも、上述の側方支持部１４と同様に、締結軸Ａ方向に延びる側方支持部１８が設けられている。ここで、図３を用いて、ターンバックル５０の保持状態を示す。
【００２５】
図３には、ラチェットスパナ１のヘッド部２の周辺について、ラチェット歯８ａを締結軸Ａに対して垂直に切断した断面図が示されている。なお、この図３では、説明の便宜のため、切換部１０は、ソケット８の回転を規制しない中立位置にある状態が示されており、操作方向の正逆を切り換えるための２つのラチェット爪１０ａ、１０ｂは、何れもラチェット歯８ａから離間した状態となっている。
【００２６】
ターンバックル５０は角軸部５１で切断した断面図によって示されている。また、ターンバックル５０の胴部５２の位置は角軸部５１に重ねた一点鎖線で示されている。
【００２７】
図３に示すように、ターンバックル５０をソケット８内部に収容し、ヘッド部２の開口２ｂ側を開閉片４で閉じると、角軸部５１の後端側の４面がソケット８の内面に当接する
。また、断面円形の胴部５２の側周のうち、先端側及び後端側に面する対極位置には、それぞれ、側方支持部１８、１４のそれぞれの嵌合部１９、１５の凹状曲面１９ａ、１５ａ（図１を参照）が僅かな隙間を空けて当接可能な状態となる。
【００２８】
このように配置されるので、開閉片４に設けられた側方支持部１８とヘッド部２に設けられた側方支持部１４とにより、ターンバックル５０の角軸部５１の締結軸方向に延設された胴部５２が支持される。これにより、本実施の形態に係るラチェットスパナ１では、ヘッド部２が先端側に開口しているが、操作杆２２を左右に振って締結作業を行う際においても、ターンバックル５０の角軸部５１が傾くことはない。ターンバックル５０の角軸部５１は、ソケット８の締結軸Ａと略平行な状態を保つことができ、作業が安定する。
【００２９】
続いて、図４には、ソケット８が図３の状態から締結軸Ａに対して反時計回りに９０度回転した状態が示されている。図４も図３と同様に、ラチェット歯８ａを締結軸Ａに対して垂直に切断した断面図を示しており、切換部１０は説明の便宜のため中立位置にある状態で示されている。
【００３０】
本実施の形態に係るラチェットスパナ１のソケット８は、締結軸Ａを中心とする径方向の一部が開放されているので、回転位置によっては、図４に示されるように、ヘッド部２の開口２ｂの内周との間の一部に隙間Ｇが生じる。図４では、紙面下方側に隙間Ｇが生じた状態が表わされている。しかし、側方支持部１４、１８の嵌合部１５、１９には、いずれも締結軸Ａ方向へそれぞれ略同じ深さとなるように凹状曲面１５ａ、１９ａが形成されているので、ヘッド部２の開口２ｂの内周とターンバックル５０との間に隙間Ｇが生じたとしても、ターンバックル５０は嵌合部１５、１９によって安定して保持される。このように、いかなる回転位置においても、ターンバックル５０の角軸部５１とソケット８の締結軸Ａとは略平行な状態を保持できるので、安定した状態で作業を行うことが可能である。次に、図５を用いてラチェット機構について説明する。
【００３１】
図５は、図３、４と同様にヘッド部２の周辺について、ラチェット歯８ａを締結軸Ａに対して垂直に切断した断面図を示している。このうち、図５（ａ）には、正回転動作用の正側のラチェット爪１０ａがラチェット歯８ａに係合した状態が示されている。また、図５（ｂ）には、図５（ａ）の状態から操作杆２２を正側の操作方向へ約１２０度回転させた後、逆側へ約１２０度戻し、正側のラチェット爪１０ａがソケット８の開口に位置している状態が示されている。なお、ここで正方向、逆方向として図示したのは説明の便宜のためであり、実際の使用状態において操作方向が固定されるものではない。すなわち、本実施の形態で正側のラチェット爪１０ａとしているものが、逆側のラチェット爪１０ａとして用いられる場合もあり得る（ラチェット爪１０ｂについても同様。）。
【００３２】
切換部１０の切り換え状態が図５（ａ）のようになっている場合には、正側操作方向へ操作杆２２を回動させると、正側のラチェット爪１０ａがラチェット歯８ａに食い込むので、切換部１０は係合したままソケット８と共に一体回転する。そして、逆側操作方向へ操作杆２２を回動させると、切換部１０は付勢部１２の付勢片１２ａから受ける付勢に抗して中立位置側へ戻ることができる。すなわち、正側のラチェット爪１０ａは、ラチェット歯８ａとの係合が外れ、ラチェット歯８ａの上を滑りながら周方向へ相対移動することができる。
【００３３】
ところが、本実施の形態に係るラチェットスパナ１では、正側ラチェット爪１０ａがソケット８の開口領域に位置する場合であっても、傾斜面１０ｃにストッパー２ｃが当接することにより、ソケット８の中心側への落ち込みが阻止される。このように構成されているので、ソケット８の開口側もスムーズに通過することができ、再びラチェット歯８ａが相対回転して近接した際に、ラチェット歯８ａとラチェット爪１０ａ（又は１０ｂ）とが再係合することができる。
【００３４】
以上に述べたように、本発明の本実施の形態に係るラチェットスパナ１によれば、側方支持部１４、１８によりターンバックル５０の胴部５２が支持されるので、ターンバックル５０の角軸部５１とソケット８の締結軸Ａの方向とが略平行な状態を安定して保持することができ、熟練を要さずに、容易かつ確実に締結作業を行うことが可能である。
【００３５】
また、ターンバックル５０が安定してソケット８内に保持されるので、ヘッド部２の開口２ｂ側での噛み込みを防ぐことができ、ラチェットスパナ１のソケット８の摩耗又は損壊を防止することができる。
【００３６】
なお、上記の実施の形態では、ヘッド部２の側方支持部１４及び、開閉片４の側方支持部１８は、締結軸Ａ方向の両側へ略対称となるように設けられている構成を例として示した。しかし、締結軸Ａ方向の何れか一方に設けられていれば、ソケット８内にターンバックル５０の角軸部５１を安定して保持することができる。また、締結軸Ａ方向の両側に非対称に構成しても同様の効果を得ることが可能である。
【００３７】
また、上記の実施の形態では、側方支持部１４、１８の嵌合部１５、１９に凹状曲面１５ａ、１９ａが形成された構成を例として示した。しかし、締結軸Ａ方向へ延びるガイドの機能を有していれば、嵌合面は曲面でなくても構わない。例えば、締結軸Ａ方向へ延びる線材を複数組み合わせた構成でもよい。また、ターンバックル５０の胴部５２に沿って湾曲させた複数の線材を、締結軸Ａ方向へ並設しても構わない。この場合、支柱１６、２０（図１参照）に支えられる嵌合部１５、１９は板状部材でなくても構わない。
【００３８】
また、上記の実施の形態では、ヘッド部２に側方支持部１４を備えた構成を例として示した。しかし、少なくとも、開閉片４に側方支持部１８が設けられていれば、ヘッド部２側に側方支持部１４を有していなくても構わない。そして、ヘッド部２側の側方支持部１４は、開閉片４上の側方支持部１８に対してターンバックル５０の対極位置に設ける必要はない。さらに、ヘッド部２側の側方支持部１４は、複数設置されていても構わない。
【００３９】
また、上記の実施の形態では、断面正六角形の角軸部５１を有するターンバックル５０を締結対象の一例として示した。しかし、正六角形以外の角軸部を有するターンバックルが係合可能なようにソケットの内壁が形成されていれば、例えば断面正方形の角軸部などを有するターンバックルなども対象となり得る。
【符号の説明】
【００４０】
１      （ターンバックル用）ラチェットスパナ
２      ヘッド部
２ａ      板状部
２ｂ      開口
２ｃ      ストッパー
４      開閉片
６      ラチェット部
８      ソケット
８ａ      ラチェット歯
１０      切換部
１０ａ      正側ラチェット爪
１０ｂ      逆側ラチェット爪
１０ｃ      傾斜面
１１      軸
１２      付勢部
１２ａ      付勢片
１２ｂ      コイルばね
１４      側方支持部（ヘッド部側）
１５      嵌合部（ヘッド部側）
１５ａ      凹状曲面（ヘッド部側）
１６      支柱（ヘッド部側）
１８      側方支持部（開閉片側）
１９      嵌合部（開閉片側）
１９ａ      凹状曲面（開閉片側）
２０      支柱（開閉片側）
２２      操作杆
５０      ターンバックル
５１      角軸部
５２      胴部
Ａ      締結軸
Ｇ      隙間
【図１】
0006382619.tif 000002
【図２】
0006382619.tif 000003
【図３】
0006382619.tif 000004
【図４】
0006382619.tif 000005
【図５】
0006382619.tif 000006
【図６】
0006382619.tif 000007
【図７】
0006382619.tif 000008